(57)【要約】      （修正有）【課題】災害非常時用などとして効果的な携帯用ライトを提供する。【解決手段】通電により発光する照明部と、予め選定された特定の自治体の所有しているコミュニティーＦＭ局専用の周波数電波だけを受信するラジオ受信回路を有する電気回路基板と、前記電気回路基板により発音されるスピーカーと、前記照明部と前記電気回路基板に通電するためのバッテリーと、前記照明部に対する通電をＯＮ／ＯＦＦするためのスイッチ１１と、前記電気回路基板に対する通電をＯＮ／ＯＦＦするためのスイッチ１１と、を有することを特徴とする携帯用ライト１。【選択図】図１
0003179816.tif 000002
【実用新案登録請求の範囲】
【請求項１】
予め選定された特定の自治体の所有しているコミュニティーＦＭ局専用の周波数電波だけを受信するラジオ機能を具備させたことを特徴とする携帯用ライト。
【請求項２】
更に、予め選定された特定の自治体の防災行政無線を前記コミュニティーＦＭよりも優先して受信するラジオ機能を具備させたことを特徴とする請求項１に記載の携帯用ライト。
【請求項３】
手回し式発電機とこの発電機による発電で充電されるバッテリーを有することを特徴とする請求項１または２に記載の携帯用ライト。
【請求項４】
緊急サイレン発生機能を具備させたことを特徴とする請求項１ないし３の何れか一項に記載の携帯用ライト。
【請求項５】
レーザー光線を発振する機能を具備させたことを特徴とする請求項１ないし４の何れか一項に記載の携帯用ライト。
【請求項６】
電源出力端子と電源入力端子を具備させたことを特徴とする請求項１ないし７の何れか一項に記載の携帯用ライト。
【考案の詳細な説明】
【技術分野】
【０００１】
本考案は、携帯用ライト（懐中電灯）に関する。
【背景技術】
【０００２】
特許文献１には、ランタン機能、ライト機能、ラジオ機能、テレビ機能、警報機能を具備させた、キャンプ時や災害時等に使用する多機能型の携帯用照明装置が提案されている。
【先行技術文献】
【特許文献】
【０００３】
【特許文献１】特開平７−２１１１０２号公報
【考案の概要】
【考案が解決しようとする課題】
【０００４】
本考案は上記の従来技術を更に発展させたものであり、非常時災害対策用としてより有効な携帯用ライトの提供を目的とする。
【課題を解決するための手段】
【０００５】
本考案は、予め選定された特定の自治体の所有しているコミュニティーＦＭ局専用の周波数電波だけを受信するラジオ機能を具備させたことを特徴とする携帯用ライトである。
【考案の効果】
【０００６】
本考案の携帯用ライトは、照明器具としての機能の他に、非常時災害時等には当該自治体（区、市、町、村など）のコミュニティーＦＭを受信するラジオ機能により当該自治体が発信する防災行政情報や各種情報を得ることができて、適切な対処判断・行動をとることが可能となる。当該自治体のコミュニティーＦＭのみを受信するので、選局操作の必要性がなくて、老人や子供でも難なく受信できて効果的である。
【図面の簡単な説明】
【０００７】
【図１】（ａ）は実施例の携帯用ライトの平面図、（ｂ）は底面図である。
【図２】（ａ）は同ライトの右側面図、（ｂ）は正面図、（ｃ）は背面図である。
【図３】手回し式発電機の操作要領の説明図である。
【図４】電気系統のブロック図である。
【考案を実施するための形態】
【０００８】
図において、１は本考案に係る携帯用ライトの一実施例の総括符号である。このライト１は手で握り持つことができる、前後方向を長手とする大きさ・形状の合成樹脂成型の中空ボディ２の内部に、予め選定された特定の自治体の所有しているコミュニティーＦＭ局専用の周波数電波だけを受信するラジオ受信回路を含む電気回路基板３（図４）、スピーカー４、バッテリー５、手回し式発電機（手回しダイナモ）６などが内蔵されている。
【０００９】
また、ボディ２の正面側（前面側）は透明グローブ（フード）７を被せた照明部（発光部、電灯部）としてあり、複数個の高輝度白色ＬＥＤ８が配設されている。本実施例においては５個のＬＥＤ８が配設されている。また、本実施例においては照明部にＬＥＤ８の他に緑色或いは赤色或いは青色のレーザー光線を発振するレーザー発振素子９が配設されている。
【００１０】
ボディ２の平面（上面）の正面側寄りにはデジタル表示器（液晶表示器）１０が配設されている。ボディ２の平面のほぼ中央部には前後方向に可動なスライド式スイッチ１１が配設されている。このスイッチ１１は、最も後退させた位置がＯＦＦ位置であり、このＯＦＦ位置から、前側に順次に第１位置、第２位置、第３位置、第４位置の４つの位置にスライド移動させることができる。
【００１１】
スイッチ１１を第１位置に移動させると基板３の低照度照明回路部がＯＮになり、５つのＬＥＤ８のうちの３つが点灯して、照明部が低照度点灯状態（ＬＯ）になる。
【００１２】
スイッチ１１を第２位置に移動させると基板３の高照度照明回路部がＯＮになり、５つのＬＥＤ８が全て点灯して、照明部が高照度点灯状態状態（ＨＩ）になる。
【００１３】
スイッチ１１を第３位置に移動させると基板３のサイレン回路がＯＮになり、スピーカー４から緊急サイレンが発音される。
【００１４】
スイッチ１２を第４位置に移動させると基板３のレーザー発振回路部がＯＮになり、レーザー発振素子９が起動されて照明部からレーザー光線が発射される。
【００１５】
ボディ２の平面においてスイッチ１１の右側には音量ボタン１２が配設されている。コミュニティーＦＭの受信状態において、このボタン１２を長押しすると音量が下がり、数回短く押すと音量が上がる回路構成にされている。
【００１６】
ボディ２の平面においてスイッチ１１の左側にはデジタル表示ボタン１３が配設されている。このボタン１３を押すと、当該携帯用ライト１に予め設定された、特定の自治体の所有しているコミュニティーＦＭ局専用の電波周波数が表示される。
【００１７】
ボディ２の右側面の正面側寄りにはラジオスイッチ１４が配設されている。このスイッチ１４をＯＮにすると、当該携帯用ライト１の電気回路基板３に予め設定された、特定の自治体の所有しているコミュニティーＦＭ局専用の周波数電波が受信されてスピーカー４からそのＦＭ放送が流れて聴取できる。音量は上記の音量ボタン１２の操作で調節できる。
【００１８】
ボディ２の左側面の背面側寄りにはストラップ兼用ラジオアンテナ１５が配設されている。
【００１９】
ボディ２の下面の正面側寄りにはスピーカー音を外部に出すための複数の透音小穴１６が形成されている。
【００２０】
また、ボディ２の下面の中央部と上記の複数の透音小穴形成部との間には手回し式発電機６のロータリ部６１が配設されている。このロータリ部６１には手回しハンドル６２が設けられている。ハンドル６２は基部側がロータリ部６１に対して横軸部６３を中心に回動可能に取り付けられている。また、ハンドル６２の自由端部側には縦軸部６４を中心に回動可能につまみ部６５が設けられている。
【００２１】
ボディ２の下面の背面側寄りにはハンドル６２のつまみ部６５が嵌入される凹部１７が配設されている。ハンドル６２は不使用時には、図１の（ｂ）、図２のように、つまみ部６５がボディ２の凹部１７に入り込む向きとなるようにボディ２の下面に対して倒し込んでつまみ部６５を凹部１７に格納する。この状態がハンドル６２のボディ２に対する畳み込み状態である。
【００２２】
発電機６を使用する場合には、ボディ２に対する畳み込み状態のハンドル６２を基部の横軸６３を中心に１８０°反転回動させて裏返しの状態にする。この状態においてつまみ部６５が凹部１７から抜けて上向きとなる。そこで、一方の手でボディ２を握り、他方の手でつまみ部６５をつまんでハンドル６２を、ロータリ部６１を中心に図３の矢印Ｒの時計方向に回転操作する。これにより、発電機６の本体に対してロータリ部６１が回転して発電がなされて内蔵バッテリー５に対する充電がなされる。１８は充電ランプ（ＬＥＤ）であり、手回し式発電機６により内蔵バッテリー５に充電が行われている間点灯する。ハンドル６２は反時計方向に逆回しても発電と充電が行われる。
【００２３】
ハンドル６２の外面側には方位磁石１９が配設されている。方位磁石１９はハンドル６２がボディ２に畳み込まれている状態においてハンドル６２の外面側に露呈している。方位磁石１９はハンドル６２の外面に設けた凹部に嵌め込まれて接着剤で固着されている。図３において、６６はその凹部のハンドル内面側への突き出し凸部であり、２０はボディ２の背面側に具備させた凹部であり、ハンドル６２がボディ２に畳み込まれている状態において上記の凸部６６が対応して嵌入する。
【００２４】
ハンドル６２側のつまみ部６５が嵌入するボディ２側の凹部１７には電源入力端子２１と電源出力端子２２が配設されている。電源入力端子２１はパソコンとＵＳＢで接続して或いはＡＣアダプターを介して外部電源から内蔵バッテリー５に対して充電ができる。電源出力端子２２はこの端子から接続ケーブルやアダプターを介して携帯電話等の充電が可能である。２３はボディ２の組立ビス挿通穴である。
【００２５】
本実施例の携帯用ライト１は、照明器具としての機能の他に、非常時災害時等には当該自治体のコミュニティーＦＭを受信するラジオ機能により当該自治体が発信する防災行政情報や各種情報を得ることができて、適切な対処判断・行動をとることが可能となる。当該自治体のコミュニティーＦＭのみを受信するので、選局操作の必要性がなくて、老人や子供でも難なく受信できて効果的である。
【００２６】
その他にも、手回し式発電機６による内蔵バッテリー５への充電機能、電源出力端子２２による携帯電話等への充電機能、緊急サイレン機能、レーザー光線発振機能、方位磁石１９を備えており、非常時災害対策用として有効である。
【００２７】
また、当該自治体の災害行政無線を受信するラジオ受信機能（防災行政無線受信回路は予め定めた特定の自治体に対応した周波数固定タイプ）も具備させ、ラジオスイッチ１４をＯＮにした状態にしてコミュニティーＦＭを聴取しているときでも緊急時の防災行政無線を自動で受信する防災行政無線優先構成にする。これにより、災害非常時には防災行政無線の自動受信により当該地域の防災行政情報を得ることができて、適切な対処判断・行動をとることが可能となる。当該自治体域の防災行政無線のみを自動受信するので、選局操作の必要性がなくて、老人や子供でも難なく受信できて効果的である。
【００２８】
なお、本考案の携帯用ライトは災害非常時でなくとも、平時や、キャンプなどのアウトドア、家庭内など、どこでも使用可能であることはもちろんである。
【符号の説明】
【００２９】
１・・携帯用ライト、２・・ライトボディ、３・・電気回路基板、４・・スピーカー、５・・内蔵バッテリー、６・・手回し式発電機、６２・・手回しハンドル、８・・ＬＥＤ、９・・レーザー光線発振素子、１０・・デジタル表示器、１１・・スライドスイッチ、１２・・音量ボタン、１４・・ラジオスイッチ、１５・・ストラップ兼用ラジオアンテナ、１８・・充電ランプ、１９・・方位磁石、２１・・電源入力端子、２２・・電源出力端子
【図１】
0003179816.tif 000003
【図２】
0003179816.tif 000004
【図３】
0003179816.tif 000005
【図４】
0003179816.tif 000006
【手続補正書】
【提出日】平成24年8月27日(2012.8.27)
【手続補正１】
【補正対象書類名】実用新案登録請求の範囲
【補正対象項目名】全文
【補正方法】変更
【補正の内容】
【実用新案登録請求の範囲】
【請求項１】
通電により発光する照明部と、予め選定された特定の自治体の所有しているコミュニティーＦＭ局専用の周波数電波だけを受信するラジオ受信回路を有する電気回路基板と、前記電気回路基板により発音されるスピーカーと、前記照明部と前記電気回路基板に通電するためのバッテリーと、前記照明部に対する通電をＯＮ／ＯＦＦするためのスイッチと、前記電気回路基板に対する通電をＯＮ／ＯＦＦするためのスイッチと、を有することを特徴とする携帯用ライト。
【請求項２】
前記ラジオ受信回路は、予め選定された特定の自治体の防災行政無線を前記コミュニティーＦＭよりも優先して受信する回路であることを特徴とする請求項１に記載の携帯用ライト。
【請求項３】
前記バッテリーに充電するための手回し式発電機を有することを特徴とする請求項１または２に記載の携帯用ライト。
【請求項４】
前記電気回路基板は緊急サイレンスイッチがＯＮされると前記スピーカーからサイレンを発音させるサイレン回路を有することを特徴とする請求項１ないし３の何れか一項に記載の携帯用ライト。
【請求項５】
レーザー光線を発振するレーザー発信素子を有し、前記電気回路基板はレーザー発信スイッチがＯＮされると前記レーザー光線からレーザー光線を発信させるレーザー発信回路を有することを特徴とする請求項１ないし４の何れか一項に記載の携帯用ライト。
【請求項６】
電源出力端子と電源入力端子を有することを特徴とする請求項１ないし５の何れか一項に記載の携帯用ライト。
【手続補正２】
【補正対象書類名】明細書
【補正対象項目名】０００５
【補正方法】変更
【補正の内容】
【０００５】
本考案は、通電により発光する照明部と、予め選定された特定の自治体の所有しているコミュニティーＦＭ局専用の周波数電波だけを受信するラジオ受信回路を有する電気回路基板と、前記電気回路基板により発音されるスピーカーと、前記照明部と前記電気回路基板に通電するためのバッテリーと、前記照明部に対する通電をＯＮ／ＯＦＦするためのスイッチと、前記電気回路基板に対する通電をＯＮ／ＯＦＦするためのスイッチと、を有することを特徴とする携帯用ライトである。
【手続補正書】
【提出日】平成24年9月18日(2012.9.18)
【手続補正１】
【補正対象書類名】実用新案登録請求の範囲
【補正対象項目名】全文
【補正方法】変更
【補正の内容】
【実用新案登録請求の範囲】
【請求項１】
通電により発光する照明部と、予め選定された特定の自治体の所有しているコミュニティーＦＭ局専用の周波数電波だけを受信するラジオ受信回路を有する電気回路基板と、前記電気回路基板により発音されるスピーカーと、前記照明部と前記電気回路基板に通電するためのバッテリーと、前記照明部に対する通電をＯＮ／ＯＦＦするためのスイッチと、前記電気回路基板に対する通電をＯＮ／ＯＦＦするためのスイッチと、を有することを特徴とする携帯用ライト。
【請求項２】
前記バッテリーに充電するための手回し式発電機を有することを特徴とする請求項１に記載の携帯用ライト。
【請求項３】
前記電気回路基板は緊急サイレンスイッチがＯＮされると前記スピーカーからサイレンを発音させるサイレン回路を有することを特徴とする請求項１または２に記載の携帯用ライト。
【請求項４】
レーザー光線を発振するレーザー発信素子を有し、前記電気回路基板はレーザー発信スイッチがＯＮされると前記レーザー発信素子からレーザー光線を発信させるレーザー発信回路を有することを特徴とする請求項１ないし３の何れか一項に記載の携帯用ライト。
【請求項５】
電源出力端子と電源入力端子を有することを特徴とする請求項１ないし４の何れか一項に記載の携帯用ライト。